(57)【特許請求の範囲】
【請求項１】
墨糸の糸巻ドラムを収納するドラム収納部に連設部を設けると共に前記糸巻ドラムに前記墨糸を巻き取る方向に付勢する弾性手段を設け、前記連設部内に前記糸巻ドラムから引き出した墨糸を案内外出する引出案内路を設けると共に、墨汁やチョーク粉などの墨材を収納する墨付部を前記引出案内路に設けて、前記引出案内路に前記糸巻ドラムより繰り出した墨糸を案内外出させながら、前記墨付部の墨材に案内接触させることにより前記墨糸に前記墨材を付着させるように構成した墨壷において、前記ドラム収納部側にストッパーを前後方向に摺動自在で後方に付勢して設けると共に前記糸巻ドラム側に前記ストッパーが選択的に係止可能なストッパー受け部を設け、前記ストッパーと前記ストッパー受け部間における前記糸巻ドラムの前記墨糸の巻き取り対応部を係止形状に形成し、前記ストッパーと前記ストッパー受け部間における前記糸巻ドラムの前記墨糸の繰り出し対応部を非係止形状に形成し、
前記ストッパーに前記巻き取り対応部の係止解除用操作部を設け、
前記糸巻ドラムの周面に該周面に沿って前記ストッパー受け部を等間隔に複数設け、
前記係止解除用操作部は前記ストッパーの基端に設けたピンと回動自在に連結する孔とを有し、該孔と前記ピンとの隙間を前記ストッパー受け部の頂部とリング部との距離程度に形成したことを特徴とする墨壷。
【請求項２】
前記糸巻ドラムの周面に前記ストッパー受け部を設け、該ストッパー受け部は前記周面の中心軸芯を中心として放射方向に突設され、前記ストッパー受け部の前記墨糸の巻き取り回り方向側の一方の壁部は段状に形成されると共に、前記ストッパーは前記一方の壁部と係止可能状態に設けられ、前記ストッパー受け部の前記墨糸の繰り出し回り方向側の他方の壁部は傾斜して形成されると共に、前記ストッパーは前記他方の壁部と非係止状態に摺動自在に設けられることを特徴とする請求項１記載の墨壷。
【発明の詳細な説明】
【技術分野】
【０００１】
本発明は、大工や石工などが木材や壁や床や石材などに墨線を引くために使用するハンドタイプの墨壷に関する。
【背景技術】
【０００２】
この種のハンドタイプの墨壷は、糸巻ドラムを収納するドラム収納部に握持可能な連設部を設け、この連設部内に糸巻ドラムから引き出した墨糸を案内外出する引出案内部を設けると共に、墨汁やチョーク粉などの墨材を収納する墨付部を設けて、引出案内部に設けた糸通し部に墨糸を通して糸巻ドラムから引き出した墨糸を案内外出させながら、墨付部の墨材に案内接触させることにより墨糸に墨材を付着させるように構成し、さらに糸巻ドラムには墨糸を巻き取る方向に付勢する弾性手段であるばねが設けられていた（例えば特許文献１）。そして、従来技術では、ドラム収納部の正面には、ドラム収納部内の糸巻ドラムを取り出す際に取り外して開放する着脱可能なリング状のカバー部が装着され、このカバー部には、糸巻ドラムを回動可能状態と回動不能状態とに切り替える切替操作部が設けられていた。また糸巻ドラムにはばね力がチャージされるばねが内蔵されていた。
【０００３】
したがって、作業者が墨壷を使用して、墨線を引くときには、墨糸を引き出し、墨糸の先端に接続されたカルコを所定位置に刺して固定した状態で、墨糸をさらに引き出すことで、ばね力に抗して回転した糸巻ドラムから墨糸が連続して所定長さに繰り出され、この繰り出された墨糸は墨付部において墨材が付着される。そして、作業者は糸巻きドラムを手で押えて糸巻きドラムを回転不能状態にし、墨壺をカルコと反対側に引っ張って墨糸に張力を付与し、この状態で墨糸を軽く弾いて墨線を引くようにしていた。
【０００４】
墨線を引いた後ではカルコを所定位置から外し、押え状態を解除して糸巻きドラムを回転可能にし、ばねにチャージされていたばね力によって糸巻ドラムは逆転し、これにより墨糸が糸巻ドラムに自動的に巻き取られるようになっている。
【特許文献１】特開２００５−１０３７４８号公報
【発明の開示】
【発明が解決しようとする課題】
【０００５】
従来技術においては、墨線を引くときは、墨壺をカルコと反対側に引っ張って墨糸に張力を付与して墨線を引くものであったが、その作業時に糸巻ドラムが回動可能状態のままであると、木材や壁や床や石材などとすれて墨糸が切断したような場合には、手で押えることで糸巻きドラムを回転不能状態にして、糸巻きドラムから手を離しても墨糸がドラムに巻き取られないように、切替操作部により糸巻ドラムを回動不能状態に切り替えた状態にする。その上で切断されたカルコ側の墨糸を取外して、糸巻きドラム側に残った墨糸の先端をカルコに結び付ける。この時糸巻きドラムを手で押え損ねたり、切替操作部の操作を忘れて糸巻きドラムから手を離した場合には墨糸が端まで糸巻ドラムに自動的に巻き取られてしまう。このようになってしまうと、墨糸の端をカルコに再び結び付けるには、カルコ側に残っていた墨糸を取外し、ドラム収納部から糸巻ドラムを取り出して墨糸の端を見つけ出すと共に墨糸を繰り出してカルコに結び付けるという煩雑な作業が必要となる。
【０００６】
また、カルコがしっかり木材に刺さっておらず、カルコが所定位置から外れた場合には、糸巻きドラムを手で押えて糸巻きドラムの回転を押えていないと、カルコが作業者のほうに付勢されたばねの力で飛んできて危険であった。
【０００７】
解決しようとする問題点は、糸巻ドラムに墨糸を自動的に巻き取ることができるように糸巻ドラムに弾性手段が設けられた墨壷において、墨線を引くときに墨糸が切断したり、カルコがしっかり刺さっておらず抜けた場合も、その墨糸が糸巻ドラムに巻き取られることがない墨壷を提供する点である。また、墨糸が切断した際のその墨糸の巻き取りを可及的に少なくできるようにする点である。
【課題を解決するための手段】
【０００８】
請求項１の発明は、墨糸の糸巻ドラムを収納するドラム収納部に連設部を設けると共に前記糸巻ドラムに前記墨糸を巻き取る方向に付勢する弾性手段を設け、前記連設部内に前記糸巻ドラムから引き出した墨糸を案内外出する引出案内路を設けると共に、墨汁やチョーク粉などの墨材を収納する墨付部を前記引出案内路に設けて、前記引出案内路に前記糸巻ドラムより繰り出した墨糸を案内外出させながら、前記墨付部の墨材に案内接触させることにより前記墨糸に前記墨材を付着させるように構成した墨壷において、前記ドラム収納部側にストッパーを前後方向に摺動自在で後方に付勢して設けると共に前記糸巻ドラム側に前記ストッパーが選択的に係止可能なストッパー受け部を設け、前記ストッパーと前記ストッパー受け部間における前記糸巻ドラムの前記墨糸の巻き取り対応部を係止形状に形成し、前記ストッパーと前記ストッパー受け部間における前記糸巻ドラムの前記墨糸の繰り出し対応部を非係止形状に形成し、前記ストッパーに前記巻き取り対応部の係止解除  用操作部を設け、前記糸巻ドラムの周面に該周面に沿って前記ストッパー受け部を等間隔に複数設け、前記係止解除用操作部は前記ストッパーの基端に設けたピンと回動自在に連結する孔とを有し、該孔と前記ピンとの隙間を前記ストッパー受け部の頂部とリング部との距離程度に形成したことを特徴とする墨壷である。
【０００９】
請求項１の発明は、前記ストッパーに前記巻き取り対応部の係止解除用操作部を設けたことを特徴とする墨壷である。
【００１０】
請求項２の発明は、前記ストッパー受け部は前記周面の中心軸芯を中心として放射方向に突設され、前記ストッパー受け部の前記墨糸の巻き取り回り方向側の一方の壁部は段状に形成されると共に、前記ストッパーは前記一方の壁部と係止可能状態に設けられ、前記ストッパー受け部の前記墨糸の繰り出し回り方向側の他方の壁部は傾斜して形成されると共に、前記ストッパーは前記他方の壁部と非係止状態に摺動自在に設けられることを特徴とする請求項１記載の墨壷である。
【００１１】
請求項１の発明は、前記糸巻ドラムの周面に該周面に沿って間隔をおいて前記ストッパー受け部を等間隔に複数設けたことを特徴とする墨壷である。
【発明の効果】
【００１２】
請求項１の発明によれば、ドラム収納部側に設けられるストッパーと、糸巻ドラム側に設けられるストッパー受け部間は糸巻ドラムの回転に伴って係止されるようになり、糸巻ドラムの回転自体を確実に停止させることができる。
【００１３】
請求項１の発明によれば、糸巻ドラムの停止状態を操作部により解除することで、墨糸を従来と同様に連続して巻き取ることができる。
【００１４】
請求項２の発明によれば、ストッパー受け部の一方の壁部及び他方の壁部を段状、傾斜状に形成することで、構成が容易でしかも確実な断続ストッパー手段を設けることができる。
【００１５】
請求項１の発明によれば、断続して巻き取る最長の墨糸の長さを隣接するストッパー受け部間の間隔とすることができ、墨糸を小刻みに巻き取ることができる
【発明を実施するための最良の形態】
【００１６】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１７】
図は実施例１を示しており、墨糸１を巻装する糸巻ドラム２を収納するドラム収納部３の周方向の一側に握持可能な連設部４を突設し、この連設部４は、糸巻ドラム２から繰り出した墨糸１を案内外出する引出案内路５を中心として引出案内部５Ａが左右に２分割となって開閉可能に設けられている。ドラム収納部３の正面側にはリング状のドラムカバー６が着脱自在に設けられている。さらにこの連設部４には引出案内部５Ａにより案内される墨糸１に墨汁を付着させる墨汁含浸材（図示せず）を収納する墨付部７を左右にそれぞれ設けている。そして、引出案内部５Ａに設けた糸通し部８に墨糸１を通して糸巻ドラム２から引き出した墨糸１を案内外出させながら、墨付部７の墨汁含浸材に案内接触させることにより墨糸１に墨汁を付着させるように構成し、墨糸１の先端にはカルコ９を連結している。本発明で採用できる墨付用の墨材としては、墨汁やチョーク粉など様々なものが考えられるが、本実施例では、墨材として墨汁を採用し、この墨汁を含浸させた墨汁含浸材を墨付部７に収納したタイプの実施例を示している。
【００１８】
また、糸巻ドラム２には、該糸巻ドラム２が墨糸１を巻き取る方向に付勢する弾性手段を設ける。実施例では弾性手段として渦巻きばね10が用いられ、この渦巻きばね10にはばねチャージ機構11が設けられている。渦巻きばね10を内蔵した糸巻ドラム２は、間隔をおいて設けられる正面側円板部12と背面側円板部12Ａと、これらの間に配置される正面が円形の周面板部13からなり、正面側円板部12には第１の指掛け部14が凹状に形成されていると共に周面板部13には墨糸１が巻装されるようになっている。そして渦巻きばね10の一端10Ａを糸巻ドラム２に連結すると共に、遊転して回動自在な中心軸芯となる中心軸部材15に他端10Ｂを連結している。そして糸巻ドラム２の背面側にチャージ機構11が設けられる。チャージ機構11は渦巻きばね10にばね力を蓄積させるものであり、ドラム収納部３の底面外側面に、糸巻ドラム２と同一回転中心軸状に回動自在に設けられるチャージハンドル16と、このチャージハンドル16と一体となってその中心軸芯上にドラム収納部３の底板を貫通して設けられる駆動回転軸からなる駆動用雄部17と、該駆動用雄部17の先端に回転方向において係止可能で中心軸部材15の端部にあらわれる従動用雌部（図示せず）とを備え、さらにチャージハンドル16とドラム収納部３の底面の外側面との間には、該チャージハンドル16のロック装置18を設ける。このロック装置18はチャージハンドル16をドラム収納部３に対して固定状態（ロック状態）にするか或いは回転中心軸を回転中心として回転可能状態（ロック解除状態）に選択するものであり、この実施例ではロック操作部19を回転中心軸側にスライドさせると該ロック操作部19が底面外側面に設けたロック係止受け部20に係止してロック状態となり、一方ロック操作部19を回転中心軸と反対側スライドさせると係止状態が解除されてロック解除状態となるものである。尚、図中19Ａはロック操作部19に設けた操作用の第２の指掛け部である。したがって、ロック解除状態のチャージハンドル16を回動することで、この回動が駆動用雄部17、従動用雌部を介して中心軸部材15に伝達されて、渦巻きばね10が中心軸部材15を中心として回動することにより渦巻きばね10にばね力がチャージされるようになっており、このばね力のチャージにより糸巻ドラム２が墨糸１の巻き取り方向に常時付勢されるようになっている。尚、弾性手段としては従来技術にあるように弧巻ゼンマイを使用した自動巻取式でもよい。
【００１９】
さらに、糸巻ドラム２とドラム収納部３との間に、墨糸１の引き出し方向では糸巻ドラム２が遊転となり、墨糸１の巻き取り方向では糸巻ドラム２の回動が断続的に停止するようにするため、断続ストッパー機構の一方を形成するストッパー21をドラム収納部３側に前後方向に摺動自在に設けると共に、ストッパー21に選択的に係止可能なストッパー受け部22を糸巻ドラム２側に設ける。このストッパー受け部22は断続ストッパー機構の他方を形成する。そしてストッパー21は、ドラム収納部３における連設部４側の周面板部13に糸巻ドラム２の周面板部13に対向するように設けられる。ストッパー受け部22は、糸巻ドラム２の背面側円板部12Ａの縁に周面板部13よりも径大となってフランジ状に形成されたリング部23周面の円方向に沿って間隔をおいて複数等間隔に設けられる。ストッパー21は後ろ向きの先端21Ａが糸巻ドラム２の中心軸部材15に向けて出没可能に設けられたものであり、ストッパー21の基端（ピン）21Ｂである前端には操作部である引き金24（トリガー）が連結している。該引き金24の中間部は連設部４側下部に支持回転軸25を介して回動自在に連結すると共に、引き金24の上部にある孔24Ａにストッパー21の基端にあるピン21Ｂをリンク状に回動自在に連結して、指掛け可能な引き金24の下部24Ｂを前後方向に揺動可能に設けている。尚、ストッパー21には先端21Ａが常時リング部23側に当接して摺動するようにばねによる弾性体（図示せず）が装着しており、さらにピン21Ｂと該ピン21Ｂが挿入する孔24Ａとの連結にあっては、隙間Ｗが設けられ、前後方向に多少がたついた状態で連結しており、その長さは概ね頂部22Ａとリング部23との距離程度に形成されている。したがって、下部24Ｂに指を掛けて引き金24を引き操作することによりピン21Ｂが孔24Ａによって押し出されてストッパー21が前進するようになっている。ストッパー受け部22は糸巻ドラム２のリング部23に円周方向に沿って間隔をおいて設けられるものであって、このストッパー受け部22は中心軸部材15を中心として放射方向に突設している。
【００２０】
そして、ストッパー受け部22における円周方向の一方の壁部26である墨糸１の繰り出し方向の一方の壁部26、すなわち中心軸部材15を中心とした反時計回り方向に配置された一方の壁部26は、ストッパー21が摺動することなく係止するように段差状に形成されている。これは中心軸部材15を中心とし、また該中心とした最大半径箇所をストッパー受け部22の頂部としたとき一方の壁部26の段差は、中心軸部材15から頂部22Ａに向けた半径をあらわす位置とほぼ一致して切り欠き状に形成されている。すなわち、一方の壁部26の第１の始端26Ａは頂部22Ａの反時計回り方向に配置され、一方の壁部26の第１の終端26Ｂは第１の始端26Ａと同一な半径をあらわす位置上に配置されることとなる。
【００２１】
逆にストッパー受け部22における円周方向の他方である墨糸１の繰り出し方向の他方、すなわち中心軸部材15を中心とした時計回り方向に配置された他方の壁部27は、ストッパー21が係止することなく摺動するように傾斜して形成されている。他方の壁部27の傾斜は、頂部22Ａから墨糸１の繰り出し方向に向かって次第に中心軸部材15からの半径が小さくなるように形成されている。すなわち、他方の壁部27の第２の始端27Ａは頂部22Ａの時計回り方向に配置され、他方の壁部27の第２の終端27Ｂは第２の始端27Ａより時計回り方向に離れたリング部23の円周面に配置されることとなる。
【００２２】
さらに、ストッパー21における中心軸部材15に対向する先端21Ａも傾斜している。この先端21Ａの傾斜は、中心軸部材15を中心としたとき、糸巻ドラム２の墨糸１の繰り出し方向の第１の部位21Ｃが、糸巻ドラム２の墨糸１の巻き取り方向の第２の部位21Ｄよりも後退、すなわち中心軸部材15側に配置されるように形成されている。
【００２３】
このようにしてストッパー21とストッパー受け部22間における糸巻ドラム２の墨糸１の巻き取り対応部28を一方の壁部26からなる係止形状に形成し、さらにストッパー21とストッパー受け部22間における糸巻ドラム２の墨糸１の繰り出し対応部29を傾斜した他方の壁部27により非係止形状に形成している。
【００２４】
次に前記構成についてその作用を説明する。作業者が墨壷を使用して、墨線を引くときには、予めロック操作部19を中心軸部材15側より離すように外側に移動してロック解除状態とした後にチャージハンドル16を回動することで、この回動が駆動用雄部17、従動用雌部を介して中心軸部材15に伝達され、中心軸部材15の回動によって渦巻きばね10にばね力がチャージされる。尚、この際には引き金24は引き操作されていないので、ストッパー21の先端21Ａが一方の壁部26に係止して、渦巻きばね10のばね力にしたがって糸巻ドラム２は巻き取り方向（反時計回り方向）に回動しないように固定状態になっている。そしてロック操作部19をロック状態とすることで、渦巻きばね10にばね力がチャージされた状態が維持される。
【００２５】
次に墨糸１の先端に接続されたカルコ９を所定位置に刺して固定した状態で、墨糸１を引き出すことで、ばね力に抗して回転した糸巻ドラム２から墨糸１が連続して所定長さに繰り出され、この繰り出された墨糸１は墨付部７において墨材が付着される。このように墨糸１が連続して所定長さに繰り出される際には、図３〜図６に示すようにストッパー機構が墨糸１を規制しない。これは図３に示すように墨糸１を引くと糸巻ドラム２が時計回り方向に回動する。そして、図４に示すように糸巻ドラム２のストッパー受け部22の他方の壁部27にストッパー21の先端21Ａが当ると、他方の壁部27の傾斜と先端21Ａの傾斜が同じ向きであることに起因して両者間の摺動により押圧されて隙間Ｗに起因してストッパー21が前進し、図５に示すように先端21Ａは頂部22Ａに至る。さらに墨糸１を引くとストッパー21は引っ込んだまま糸巻ドラム２が時計回り方向にさらに回動する。そして、図６に示すようにストッパー受け部22の頂部22Ａを乗り越えたストッパー21はばね（図示せず）の力で復帰して先端21Ａがリング部23に直接対向するようになる。
【００２６】
このようにして、ストッパー21がストッパー受け部22に断続的に係止することなく糸巻ドラム２が連続して空転して、墨糸１を所定長さ引き出した後、引き出した墨糸１の張力をやや弱めるようにドラム収納部３側、すなわち連設部４側をカルコ９側にやや寄せる。この作業によって渦巻きばね10のばね力にしたがって糸巻ドラム２は巻き取り方向（反時計回り方向）にやや回動することで、図２に示すようにストッパー21が隣接する一対のストッパー受け部22間にある状態から、反時計回り方向にあるストッパー受け部22の一方の壁部26に係止し、この結果糸巻ドラム２は自動的に停止するようになっている。
【００２７】
そして、作業者はドラム収納部３側、すなわち連設部４側を握った状態で、ケースをカルコ９と反対側に引っ張って墨糸１を引き出し、糸巻きドラム２を手で押え糸巻きドラム２を回転不能状態にして墨糸１に張力を付与する。この状態で墨糸１を軽く弾いて墨線を引くようにする。
【００２８】
墨線を引いた後ではカルコ９を所定位置から外し、さらに引き金24を引き操作することで、孔24Ａがピン21Ｂを押し出すことでストッパー21が前進してストッパー受け部22との係止状態が解除され、この結果、渦巻きばね10にチャージされていたばね力にしたがって糸巻ドラム２は逆転し、これによりカルコ９が引出案内路５の先端に係止するまで墨糸１が糸巻ドラム２に自動的に巻き取られる。
【００２９】
尚、前述の墨糸１の引き出し中やカルコ９と反対側に引っ張って墨糸１に張力を付与しているときに、万一墨糸１が切断しても、ストッパー21が隣接するストッパー受け部22間にある状態から、ストッパー受け部22の一方の壁部26に係止し、この結果糸巻ドラム２は自動的に停止して墨糸１がわずかに後退するだけですむので、墨糸１の全長が糸巻ドラム２に巻かれてドラム収納部３に収納されるようなことはない。したがって、墨糸１が自動で巻き取れないので、もし墨糸１が切れてしまっても糸巻ドラム２に収納されず、墨糸１の端をカルコ９に再び結びつける作業が容易となる。また、カルコ９が抜けてしまっても、手に刺さることがなく安全である。
【００３０】
以上のように、前記実施例においてはドラム収納部３に回動自在に設けられた糸巻ドラム２に墨糸１を巻き取る方向に付勢する渦巻きばね10を設け、墨材を収納する墨付部７を引出案内路５に設けて、引出案内路５に糸巻ドラム２より繰り出した墨糸１を案内外出させながら、墨付部７の墨材に案内接触させる墨壷において、墨糸１の引き出しをフリー、すなわち引き出し時に糸巻ドラム２を遊転できるようにし、一方墨糸１の巻き取りを断続的に規制するためのストッパー21とストッパー受け部22を設けると共に、ストッパー21には規制を解除する操作部である引き金24を設けたことにより、墨糸１の引き出すときには引き金24を操作することなく引き出せ、一方ストッパー21とストッパー受け部22とにより墨糸１が自動的に巻き取れないので、もし墨糸１が切れてしまっても糸巻ドラム２に収納されずに済み、墨糸１の端をカルコ９に再び結びつける作業が容易になり、さらにカルコ９が抜けてしまっても、手に刺さることはない。
【００３１】
また、ドラム収納部３側にストッパー21を設けると共に糸巻ドラム２側にストッパー21が選択的に係止可能なストッパー受け部22を設け、ストッパー21とストッパー受け部22間の墨糸１の巻き取り対応部28を一方の壁部26による係止形状に形成し、ストッパー21とストッパー受け部22間の墨糸１の繰り出し対応部29を他方の壁部27による非係止形状に形成したことで、墨糸１の繰り出しにおいてはストッパー21とストッパー受け部22間で係止されず、一方墨糸１の巻き取りにおいてはストッパー21とストッパー受け部22間は糸巻ドラム２の回転に伴って係止されるようになり、糸巻ドラム２の回転自体を直接的に停止させることができる。
【００３２】
さらに、ストッパー21に巻き取り対応部28の係止解除用引き金24を設けたことにより、糸巻ドラム２の停止状態を解除することで、墨糸１を従来と同様に連続して巻き取ることができる。
【００３３】
また、糸巻ドラム２の周面にストッパー受け部22を設け、該ストッパー受け部22は前記周面の中心軸部材15を中心として放射方向に突設され、ストッパー受け部22の墨糸１の巻き取り回り方向側の一方の壁部26は段状に形成されると共に、ストッパー21は一方の壁部26と係止可能状態に設けられ、ストッパー受け部22の墨糸１の繰り出し回り方向側の他方の壁部27は傾斜して形成されると共に、ストッパー21は他方の壁部27と非係止状態に摺動自在に設けられることにより、ドラム収納部３側に設けられるストッパー21と、糸巻ドラム２の周面に設けられるストッパー受け部22とを設けることで、複雑な構造とすることなく確実な断続ストッパー手段を設けることができる。
【００３４】
しかも、糸巻ドラム２の周面に該周面に沿って間隔をおいてストッパー受け部22を等間隔に複数設けたことにより、断続して巻き取る最長の墨糸１の長さを隣接するストッパー受け部22間の円弧長さとすることができ、小刻みに墨糸１を巻き取ることができる。
【産業上の利用可能性】
【００３５】
以上のように本発明に係る墨壷は、各種の用途に適用できる。
【図面の簡単な説明】
【００３６】
【図１】本発明の実施例１を示す正面図である。
【図２】同要部を拡大した切り欠き正面図である。
【図３】同第１行程を示す要部の正面図である。
【図４】同第２行程を示す要部の正面図である。
【図５】同第３行程を示す要部の正面図である。
【図６】同第４行程を示す要部の正面図である。
【図７】同背面側の斜視図である。
【図８】同要部の斜視図である。
【図９】同展開した斜視図である。
【図１０】同正面側の分解斜視図である。
【図１１】同背面側の分解斜視図である。
【符号の説明】
【００３７】
１  墨糸
２  糸巻ドラム
３  ドラム収納部
４  連設部
５  引出案内路
７  墨付部
10  渦巻きばね（弾性体）
15  中心軸部材（中心軸芯）
21  ストッパー（断続ストッパー機構の一方）
22  ストッパー受け部（断続ストッパー機構の他方）
24  引き金（解除用操作部）
26  一方の壁部
27  他方の壁部
28  巻き取り対応部
29  繰り出し対応部
【図１】
0005177791.tif 000002
【図２】
0005177791.tif 000003
【図３】
0005177791.tif 000004
【図４】
0005177791.tif 000005
【図５】
0005177791.tif 000006
【図６】
0005177791.tif 000007
【図７】
0005177791.tif 000008
【図８】
0005177791.tif 000009
【図９】
0005177791.tif 000010
【図１０】
0005177791.tif 000011
【図１１】
0005177791.tif 000012